(57)【要約】【課題】本発明は、外部機器からのリモコン信号により予約録画等の操作制御する場合にも確実に電源のオン／オフ処理を行うことができる映像記録装置を提供することを目的とするものである。【解決手段】電源コード設定部１０１は、リモコンコードのうち電源をオン／オフする制御コードとして通常の電源コードと特定のコードからなる連続コードを設定し、メモリ２６に記憶する。判定部１０２は、装置の電源がオン状態で通常の電源コード信号が受信された場合に、連続コードが設定されているか否か判定し、連続コードが設定されている場合に受信コード信号が通常の電源コード信号のみか又は連続コード信号か判定する。電源制御部１０３は、判定部１０２において連続コード信号と判定された場合に電源のオフ処理を行い、通常の電源コード信号のみと判定された場合に電源のオフ処理を行わないように電源のオン／オフ処理をする。【選択図】図１
2008053994.tif 000002
【特許請求の範囲】
【請求項１】
リモコンからのコード信号を受信する受信手段と、通常の電源コード及びそれに続く特定のコードからなる連続コード信号を電源のオン／オフに対応するコード信号として設定する電源コード設定手段と、電源がオン状態において通常の電源コード信号が受信された場合に前記連続コード信号が電源コードとして設定されているか否か判定する設定状態判定手段と、前記連続コード信号が設定されていると判定された場合において受信されたコード信号が通常の電源コード信号のみであるか又は前記連続コード信号であるか判定する電源コード判定手段と、前記連続コード信号と判定された場合に電源のオフ処理を行うとともに通常の電源コード信号のみと判定された場合に電源のオフ処理を行わない電源制御手段とを備えていることを特徴とする映像記録装置。
【請求項２】
前記連続コード信号は、通常の電源コードを繰り返す信号又は通常の電源コード及びそれに続くリピートコードからなる信号であることを特徴とする請求項１に記載の映像記録装置。
【請求項３】
前記電源制御手段は、通常の電源コード信号のみと判定された場合において録画処理停止後所定時間以内である場合に電源のオフ処理を行うことを特徴とする請求項１又は２に記載の映像記録装置。
【請求項４】
リモコンからのコード信号を受信する受信手段と、電源のオン／オフに対応するコード信号として通常電源コード信号及び特別電源コード信号を設定する電源コード設定手段と、受信されたコード信号が前記通常電源コード信号又は前記特別電源コード信号であるか判定する電源コード判定手段と、電源がオン状態において前記通常電源コード信号と判定された場合に電源のオフ処理を行うとともに前記特別電源コード信号と判定された場合に電源のオフ処理を行わない電源制御手段とを備えていることを特徴とする映像記録装置。
【発明の詳細な説明】
【技術分野】
【０００１】
本発明は、リモコン又は外部機器からの無線通信信号を受信して制御される映像記録装置に関する。
【背景技術】
【０００２】
近年、テレビジョン放送は、従来の地上波放送の他に衛星放送が提供されており、多チャンネル化により様々なジャンルのコンテンツが視聴できるようになっている。こうして提供される映像情報や音声情報は、直接視聴できない場合に、ＶＴＲ、ＤＶＤ、ＨＤＤといった映像記録装置にいったん記録しておき、記録された情報を再生して視聴することが行われている。
【０００３】
受信した情報を記録する場合、地上波放送や衛星放送を受信する受信機からの情報を映像記録装置に送信して記録する必要がある。例えば、特許文献１では、衛星放送受信機から送信されるリモコン信号をＶＴＲで受信してＶＴＲにおいて予約録画を行う自動記録装置が記載されており、予約録画の設定を行う際にＶＴＲのメーカー設定を行い、設定されたメーカーのＶＴＲに対応したリモコン・コードを読み出してＶＴＲに送信するようにした点が記載されている。
【特許文献１】特開平７−３０４４６号公報
【発明の開示】
【発明が解決しようとする課題】
【０００４】
上述した特許文献１では、リモコン信号によりＶＴＲを操作制御して予約録画を行うようにしているが、ＶＴＲ等の映像記録装置では、携帯用のリモコンを利用者が操作して制御するのが一般的であるため、特許文献１に記載のＶＴＲでは、衛星放送受信機からのリモコン信号と利用者のリモコン操作によるリモコン信号が同じリモコン受信部に受信されて処理されるようになっている。
【０００５】
リモコン信号により操作制御される映像記録装置では、一般にリモコンの電源ボタンは１つしかなく、そのため電源をオンする場合及び電源をオフする場合に同じ電源ボタンを操作するようになっており、電源オン及び電源オフに対応するリモコンコードは同一の電源コード信号が送信されるようになっている。したがって、電源オンの状態で電源コード信号を受信すると電源オフ処理を行い、電源オフの状態で電源コードを受信すると電源オン処理を行うようになる。
【０００６】
特許文献１記載の衛星放送受信機は、予約録画を行う場合には、まずＶＴＲを電源オンするために電源コード信号をＶＴＲに送信してＶＴＲの電源をオンするのであるが、その際にＶＴＲが既に電源オンの状態である場合には、電源コード信号の受信によってＶＴＲの電源オフ処理が行われてしまい、予約録画ができないようになる。
【０００７】
こうしたトラブルを避けるために、取扱説明書等において「予約録画を行う場合には、録画機器の電源を「切」にしてください。」といった注意書きを掲載している場合もあるが、抜本的な対策は採られていないのが現状である。
【０００８】
そこで、本発明は、外部機器からのリモコン信号により予約録画等の操作制御する場合にも確実に電源のオン／オフ処理を行うことができる映像記録装置を提供することを目的とするものである。
【課題を解決するための手段】
【０００９】
本発明に係る映像記録装置は、リモコンからのコード信号を受信する受信手段と、通常の電源コード及びそれに続くリピートコードからなる連続コード信号を電源のオン／オフに対応するコード信号として設定する電源コード設定手段と、電源がオン状態において通常の電源コード信号が受信された場合に前記連続コード信号が電源コードとして設定されているか否か判定する設定状態判定手段と、前記連続コード信号が設定されていると判定された場合において受信されたコード信号が通常の電源コード信号のみであるか又は前記連続コード信号であるか判定する電源コード判定手段と、前記連続コード信号と判定された場合に電源のオフ処理を行うとともに通常の電源コード信号のみと判定された場合に電源のオフ処理を行わない電源制御手段とを備えていることを特徴とする。さらに、前記連続コード信号は、通常の電源コードを繰り返す信号又は通常の電源コード及びそれに続くリピートコードからなる信号であることを特徴とする。さらに、前記電源制御手段は、通常の電源コード信号のみと判定された場合において録画処理停止後所定時間以内である場合に電源のオフ処理を行うことを特徴とする。
【００１０】
本発明に係る別の映像記録装置は、リモコンからのコード信号を受信する受信手段と、電源のオン／オフに対応するコード信号として通常電源コード信号及び特別電源コード信号を設定する電源コード設定手段と、受信されたコード信号が前記通常電源コード信号又は前記特別電源コード信号であるか判定する電源コード判定手段と、電源がオン状態において前記通常電源コード信号と判定された場合に電源のオフ処理を行うとともに前記特別電源コード信号と判定された場合に電源のオフ処理を行わない電源制御手段とを備えていることを特徴とする。
【発明の効果】
【００１１】
上記のような構成を有することで、連続コード信号と判定された場合に電源のオフ処理を行うとともに通常の電源コード信号のみと判定された場合に電源のオフ処理を行わないように電源制御されるので、電源オン状態で通常の電源コード信号が外部機器から送信されても電源がオフされることがなくなり、予約録画の場合のように、映像記録装置を電源オンするために外部機器から通常の電源コード信号が送信されたとしても電源オフされることなく予約録画処理を続行することができる。
【００１２】
そして、通常の電源コードを繰り返す信号又は通常の電源コード及びそれに続くリピートコードからなる信号を連続コード信号として電源のオン／オフに対応するコード信号に予め設定しておくことで、従来のリモコンコードを用いて利用者が電源ボタンを長押しする場合の連続コード信号をリモコン操作の際の電源コード信号として新たに使用することができ、外部機器から送信される通常の電源コード信号と明確に区別することが可能となる。
【００１３】
そのため、連続コード信号を電源コードとして設定しておくと、電源オン状態において外部機器から送信される通常の電源コード信号では電源オフされず、リモコンでの電源ボタンの長押しにより送信される連続コード信号でないと電源のオン／オフ処理ができなくなる。したがって、予約録画が終了した場合のように録画処理停止後には所定時間内に通常の電源コード信号を受信すると電源のオフ処理を行うようにすることで、予約録画停止後に映像記録装置を電源オフするために外部機器から送信される通常の電源コード信号については有効に処理されるようになる。
【００１４】
本発明に係る別の映像記録装置は、上記のような構成を有することで、電源のオン／オフに対応するコード信号として通常電源コード信号及び特別電源コード信号を設定しておき、電源がオン状態において通常電源コード信号と判定された場合に電源のオフ処理を行うとともに特別電源コード信号と判定された場合に電源のオフ処理を行わないように電源制御しているので、電源オン状態において予約録画の場合等に外部機器から特別電源コード信号が送信されたとしても電源オフすることなく予約録画を続行することができるようになる。
【発明を実施するための最良の形態】
【００１５】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１６】
図１は、本発明に係る実施形態に関するブロック構成図を示している。映像記録装置１は、装置全体の制御を行う制御部１０、テレビアンテナにより受信した放送電波から指定チャンネルの放送電波を選局して映像信号及び音声信号を取り出すチューナ１１、衛星放送受信機等の外部機器４に接続されて映像信号及び音声信号が入力される外部入力端子１２及び１３、チューナ１１並びに外部入力端子１２及び１３から入力される映像信号及び音声信号を切り換えて出力するスイッチング回路１４、スイッチング回路１４から出力された映像信号及び音声信号をそれぞれビデオデコータ１５及びＡ／Ｄ変換器１６によりデジタル化して入力されたデジタル情報を処理するデジタル情報処理回路１７、デジタル情報処理回路１７において情報処理する際にデータを記憶するメモリ１８、デジタル情報処理回路１７との間で情報を送受信してデジタル化された映像信号及び音声信号を記録又は再生する記録再生部１９、デジタル情報処理回路１７から出力される映像信号及び音声信号をそれぞれアナログ化するビデオエンコーダ２０及びＤ／Ａ変換器２１、ビデオエンコーダ２０及びＤ／Ａ変換器２１にそれぞれ接続されて映像信号及び音声信号を出力する外部出力端子２２を備えている。
【００１７】
外部出力端子２２にはモニタ２が接続されており、モニタ２は、入力された映像信号に基づいて表示画面に映像を表示し、入力された音声信号に基づいてスピーカから音声を出力する。
【００１８】
記録再生部１９としては、例えば、磁気テープ、磁気ディスク、光ディスクといった種々の記録媒体を用いた記録再生を行うもの挙げられ、特に限定されない。
【００１９】
制御部１０には、利用者が操作する操作ボタンや設定情報等を表示する操作表示部２３及びリモコン信号を受信するリモコン受信部２４が接続されており、リモコン受信部２４は、利用者がリモコン３を操作して発信されたリモコン信号及び外部機器４が予約録画等の処理を行う場合にリモコン信号送信部４０から発信されたリモコン信号を受信する。
【００２０】
制御部１０は、電源コード設定部１０１、判定部１０２及び電源制御部１０３を備えており、電源コード設定部１０１は、リモコンコードのうち電源をオン／オフする制御コードとして決められた通常の電源コードとは別に電源コードを設定し、メモリ２６に記憶する。
【００２１】
通常の電源コードとは別の電源コードとしては、通常の電源コードを繰り返す信号又は通常の電源コード及びそれに続くリピートコードからなる信号のような連続コードが挙げられる。図５には、通常の電源コード信号のタイムチャート（図５（ａ））、通常の電源コードを繰り返す信号からなる連続コード信号のタイムチャート（図５（ｂ））及び通常の電源コード及びそれに続くリピートコードからなる連続コード信号のタイムチャート（図５（ｃ））の一例を示している。通常の電源コードは、リモコン３の電源ボタンを短時間（１秒以下）押下することで１つのデータコードが発生するが、連続コードは、リモコン３の電源ボタンを長時間（２秒以上）押下することで、通常の電源コードを示すデータコードに続いて同じデータコードやリピートコードが繰返し発生するようになる。このように連続コードを設定することで、従来のリモコンコードを利用しつつ通常の電源コードと明確に区別することができるようになる。
【００２２】
また、通常の電源コードとは別の電源コードを新たに作成して特別電源コードとして設定してもよい。この場合には、従来のリモコンコードとは別に特別電源コードを設定するので、外部機器においても特別電源コードを登録しておき、予約録画等の特別電源コードを発信する必要がある場合に発信処理を行うようにプログラムしておく。
【００２３】
判定部１０２は、装置の電源がオン状態においてリモコン受信部２４で通常の電源コード信号が受信された場合に、メモリ２６に記憶されている電源コードに基づいて電源コード設定部１０１で連続コードが設定されているか否か判定するとともに、連続コードが設定されていると判定された場合において受信されたコード信号が通常の電源コード信号のみであるか又は連続コード信号であるか判定する。
【００２４】
また、判定部１０２は、特別電源コードの設定処理を行う場合には、受信されたコード信号が通常電源コード信号又は特別電源コード信号であるか判定する。
【００２５】
電源制御部１０３は、判定部１０２において受信されたコード信号が連続コード信号と判定された場合に電源のオフ処理を行い、受信されたコード信号が通常の電源コード信号のみと判定された場合に電源のオフ処理を行わないように電源のオン／オフ制御をする。そして、録画処理の停止時からの経過時間をタイマ２５によりカウントしておき、受信されたコード信号が通常の電源コード信号のみと判定部１０２で判定された場合において録画処理停止からの経過時間が所定時間以内に通常の電源コードが受信されている場合に電源のオフ処理を行うように制御する。
【００２６】
また、特別電源コードの設定処理を行う場合には、電源がオン状態において受信されたコード信号が通常電源コード信号と判定部１０２で判定された場合に電源のオフ処理を行い、受信されたコード信号が特別電源コード信号と判定部１０２で判定された場合に電源のオフ処理を行わないように制御する。
【００２７】
図２は、映像記録装置１の電源オン／オフ処理に関するフローである。この例では、電源のオン／オフ処理を行う制御コードとして連続コードを設定することができる場合の処理フローである。連続コードを設定する場合には、モニタ２にメニュー画面を表示して、メニュー画面から図３に示す電源ボタン操作設定画面を選択表示する。電源ボタン操作設定画面では、「通常」又は「長押し（２秒以上）」を選択し、「通常」を選択した場合には、連続コードの設定は行われずに通常の電源コードにより電源のオン／オフ処理が行われる。「長押し（２秒以上）」を選択した場合には連続コードの設定が行われる。
【００２８】
電源オン／オフ処理では、まず、リモコン受信部２４で受信したリモコンコード信号に通常の電源コード信号が含まれているかチェックし（Ｓ１００）、通常の電源コード信号が含まれている場合には、装置の電源がオン状態か判定する（Ｓ１０１）。電源がオン状態でない場合には、電源をオン処理して（Ｓ１０７）終了する。
【００２９】
ステップＳ１０１において装置の電源がオン状態であると判定された場合には、電源のオン／オフ処理を行う制御コードとして連続コードが設定されているか否か設定状態を判定する（Ｓ１０２）。そして、連続コードが設定されていると判定された場合には、受信したコード信号が通常の電源コードのみか又は連続コードであるか判定し（Ｓ１０３）、連続コードであると判定された場合には、電源のオフ処理を行い（Ｓ１０４）、終了する。ステップＳ１０３において通常の電源コードのみと判定された場合には、録画停止後にカウントを開始したタイマ２５のカウント値に基づいて録画停止からの経過時間が所定時間以内に通常の電源コードが受信されていたかチェックして（Ｓ１０５）、所定時間以内であれば、ステップＳ１０４の電源のオフ処理に進む。所定時間以内でない場合には、受信した通常の電源コードを無効とする処理を行い（Ｓ１０６）、終了する。
【００３０】
ステップＳ１０２において連続コードが設定されていない場合には、ステップＳ１０４の電源のオフ処理に進み、終了する。
【００３１】
以上のような電源オン／オフ処理を行うことで、電源がオン状態で外部機器から通常の電源コードが送信されたとしても、電源のオン／オフ処理を行う制御コードとして連続コードを設定しておけば、電源がオフされることがなくなり、例えば、装置の電源がオン状態で予約録画する場合に装置の電源をオンするための電源コードは無効処理されて装置の電源がオン状態を維持し、予約録画を続行することができる。
【００３２】
また、録画停止後の所定時間以内に通常の電源コードが受信された場合には、電源のオフ処理が行われるようになるため、予約録画が終了した後に装置の電源を確実にオフさせることができる。そして、従来用いている通常の電源コード及びリピートコードからなる連続コードを電源のオン／オフ処理を行う制御コードとして設定するようにしているので、従来のリモコン送受信システムをそのまま使用することができる。
【００３３】
このように、映像記録装置のリモコン受信部に対してリモコン以外に外部機器からもリモコン信号が送信される場合において、装置の電源がオン状態でオフされるといったトラブルを防止して予約録画等の処理を確実に行うことが可能となる。
【００３４】
図４は、映像記録装置１の電源オン／オフ処理に関する別のフローである。この例では、電源のオン／オフ処理を行う制御コードとして通常電源コードとは別に新たな特別電源コードを設定する場合の処理フローである。特別電源コードは、予めメモリ２６に設定登録しておき、外部機器においても、同じ特別電源コードを登録して予約録画等の特別電源コードを発信する必要がある場合に発信処理を行うようにプログラムしておく。
【００３５】
まず、リモコン受信部２４で受信したリモコンコード信号に通常電源コード信号が含まれているか判定し（Ｓ２００）、通常電源コード信号が含まれている場合には、装置の電源がオン状態か判定する（Ｓ２０１）。電源がオン状態である場合には、電源をオフ処理して（Ｓ２０２）終了する。電源がオン状態でない場合には、電源をオン処理して（Ｓ２０３）終了する。
【００３６】
ステップＳ２００において通常電源コード信号を受信していない場合には、特別電源コード信号が含まれているか判定し（Ｓ２０４）、特別電源コード信号が含まれている場合には、電源がオン状態か判定し（Ｓ２０５）、電源がオン状態である場合には、受信した特別電源コードを無効としてオフ処理は行わずに（Ｓ２０６）終了する。電源がオン状態でない場合にはステップＳ２０３に進み電源のオン処理を行って終了する。
【００３７】
ステップＳ２０４において特別電源コード信号が含まれていない場合には、ステップＳ２００に戻る。
【００３８】
以上の電源オン／オフ処理を行うことで、電源がオン状態で外部機器から特別電源コードを送信すれば、電源がオフされることがなくなり、例えば、装置の電源がオン状態で予約録画する場合に装置の電源をオンするための特別電源コードは無効処理されて装置の電源がオン状態を維持し、予約録画を続行することができる。
【００３９】
また、予約録画停止後には、外部機器から通常電源コードを送信すれば、電源のオフ処理が行われるようになるため、予約録画が終了した後に装置の電源を確実にオフさせることができる。
【００４０】
このように、映像記録装置のリモコン受信部に対してリモコン以外に外部機器からもリモコン信号が送信される場合において、特別電源コードを設定して必要に応じて電源のオン／オフ処理に用いることで、装置の電源がオン状態でオフされるといったトラブルを未然に防止できる。
【図面の簡単な説明】
【００４１】
【図１】本発明に係る実施形態に関する全体ブロック構成図である。
【図２】電源のオン／オフ処理に関するフローである。
【図３】電源ボタン操作設定画面の例である。
【図４】電源のオン／オフ処理に関する別のフローである。
【図５】通常の電源コード信号及び連続コード信号を示すタイムチャートである。
【符号の説明】
【００４２】
１    映像記録装置
２    モニタ部
３    リモコン
４    外部機器
【図１】
2008053994.tif 000003
【図２】
2008053994.tif 000004
【図３】
2008053994.tif 000005
【図４】
2008053994.tif 000006
【図５】
2008053994.tif 000007